(57)【要約】【課題】貯留される洗浄液の大部分を新たに調製された洗浄液で占めることが可能となり、貯留された洗浄液を用いて迅速に検体分析装置を洗浄することが可能となる洗浄液供給方法および検体分析装置を提供する。【解決手段】  洗浄液供給方法は、貯留部２０における洗浄液の液面高さが第１の高さになったことを検知した場合に貯留部２０に洗浄液を補給する第１補給モードと、貯留部２０における洗浄液の液面高さが第１の高さより低い第２の高さになったことを検知した場合に貯留部２０に洗浄液を補給する第２補給モードとを実行する。【選択図】図１
2020173281.tif 000002
【特許請求の範囲】
【請求項１】
検体分析装置で使用する洗浄液を貯留するための貯留部において、前記洗浄液の液面高さが第１の高さになったことを検知した場合に前記貯留部に前記洗浄液を補給する第１補給モードと、
前記貯留部における前記洗浄液の液面高さが前記第１の高さより低い第２の高さになったことを検知した場合に前記貯留部に前記洗浄液を補給する第２補給モードと、を実行する、洗浄液供給方法。
【請求項２】
前記第１補給モードの場合に、前記貯留部の液面高さが前記第１の高さとなったことを第１検出部により検出したことに基づいて、前記洗浄液を前記貯留部に補給し、
前記第２補給モードの場合に、前記貯留部の液面高さが前記第２の高さとなったことを第２検出部により検出したことに基づいて、前記洗浄液を前記貯留部に補給する、請求項１に記載の洗浄液供給方法。
【請求項３】
前記洗浄液は、前記洗浄液の原液を希釈することにより調製された希釈洗浄液である、請求項１または２に記載の洗浄液供給方法。
【請求項４】
前記原液を、希釈液と混合することにより前記洗浄液を調製する工程を備え、
前記第１補給モードおよび前記第２補給モードにおいて、調製された前記洗浄液を前記貯留部に補給する、請求項３に記載の洗浄液供給方法。
【請求項５】
前記洗浄液を調製する工程において、調製された前記洗浄液を、前記貯留部と接続された第２貯留部に貯留し、
前記第１補給モードおよび前記第２補給モードにおいて、前記第２貯留部に貯留された前記洗浄液を、前記第２貯留部から前記貯留部に補給する、請求項４に記載の洗浄液供給方法。
【請求項６】
予め設定された条件に合致した場合に前記第２補給モードを実行する、請求項１〜５のいずれか１項に記載の洗浄液供給方法。
【請求項７】
前記予め設定された条件は、前記検体分析装置が起動すること、日付が変わること、又は、ユーザが予め設定した時刻を経過することである、請求項６に記載の洗浄液供給方法。
【請求項８】
前記洗浄液は、前記貯留部から、検体の測定に用いられる試薬を分注するために用いられるプローブを有する試薬分注部に供給される、請求項１〜７のいずれか１項に記載の洗浄液供給方法。
【請求項９】
前記第２の高さは前記プローブを数回洗浄することが可能な液量に対応する、請求項８に記載の洗浄液供給方法。
【請求項１０】
前記洗浄液は、前記貯留部から、検体の測定に用いられる試薬を分注するための試薬分注部、および、検体を分注するための検体分注部、の少なくとも一方における液体の流路に供給される、請求項１〜７のいずれか１項に記載の洗浄液供給方法。
【請求項１１】
前記第２の高さは前記貯留部の底部より高い、請求項１〜１０のいずれか１項に記載の洗浄液供給方法。
【請求項１２】
前記第１補給モードの場合に、前記貯留部に貯留されている量よりも少ない量の前記洗浄液を前記貯留部に補給し、
前記第２補給モードの場合に、前記貯留部に貯留されている量よりも多い量の前記洗浄液を前記貯留部に補給する、請求項１〜１１のいずれか１項に記載の洗浄液供給方法。
【請求項１３】
前記検体分析装置は、免疫に関する項目について血液検体を測定可能である、請求項１〜１２のいずれか１項に記載の洗浄液供給方法。
【請求項１４】
検体分析装置で使用する洗浄液を貯留するための貯留部において、貯留されている前記洗浄液の量が少なくとも第１の量に維持されるように、前記洗浄液の使用と前記貯留部への補給を繰り返す第１モードと、
前記貯留部に貯留されている前記洗浄液の量が前記第１の量よりも少なく、かつゼロよりも多い第２の量になるまで、前記洗浄液の使用を継続する第２モードと、を選択的に実行する、洗浄液供給方法。
【請求項１５】
予め設定された条件に合致した場合に前記第２モードを実行する、請求項１４に記載の洗浄液供給方法。
【請求項１６】
前記第２の量は、検体の測定に用いられる試薬を分注するためのプローブを数回洗浄することが可能な量である、請求項１４または１５に記載の洗浄液供給方法。
【請求項１７】
前記第２モードの間、前記検体分析装置が検体の測定を継続する、請求項１４〜１６のいずれか１項に記載の洗浄液供給方法。
【請求項１８】
検体を測定する測定部と、
洗浄液を調製するための洗浄液調製部と、
前記洗浄液調製部によって調製された前記洗浄液を貯留するための貯留部と、を備え、
前記貯留部における前記洗浄液の液面高さが第１の高さになったことを検知した場合に前記貯留部に前記洗浄液を補給する第１補給モードと、
前記貯留部における前記洗浄液の液面高さが前記第１の高さより低い第２の高さになったことを検知した場合に前記貯留部に前記洗浄液を補給する第２補給モードと、を選択的に実行可能に構成されている、検体分析装置。
【請求項１９】
前記貯留部は、液面高さが前記第１の高さとなったことを検出する第１検出部と、液面高さが前記第２の高さとなったことを検出する第２検出部とを備える、請求項１８に記載の検体分析装置。
【請求項２０】
前記測定部は、検体の測定に用いられる試薬を分注するために用いられるプローブを有する試薬分注部を備えており、前記貯留部から供給された前記洗浄液を用いて前記プローブを洗浄するように構成されている、請求項１８または１９に記載の検体分析装置。
【請求項２１】
検体を測定する測定部と、
洗浄液を調製するための洗浄液調製部と、
前記洗浄液調製部によって調製された前記洗浄液を貯留するための貯留部と、を備え、
前記貯留部において、貯留されている前記洗浄液の量が少なくとも第１の量に維持されるように、前記洗浄液の使用と前記貯留部への補給を繰り返す第１モードと、
前記貯留部に貯留されている前記洗浄液の量が前記第１の量よりも少なく、かつゼロよりも多い第２の量になるまで、前記洗浄液の使用を継続する第２モードと、を選択的に実行するように構成されている、検体分析装置。
【請求項２２】
予め設定された条件に合致した場合に前記第２モードを実行するように構成されている、請求項２１に記載の検体分析装置。
【請求項２３】
前記測定部は、検体の測定に用いられる試薬を分注するために用いられるプローブを有する試薬分注部を備えており、
前記第２の量は前記プローブを数回洗浄することが可能な量である、請求項２１または２２に記載の検体分析装置。
【請求項２４】
前記第２モードの間、前記測定部が検体の測定を継続するように構成されている、請求項２１〜２３のいずれか１項に記載の検体分析装置。
【発明の詳細な説明】
【技術分野】
【０００１】
本発明は、検体分析装置に洗浄液を供給するための洗浄液供給方法および検体分析装置に関する。
【背景技術】
【０００２】
特許文献１には、検体分析装置の測定部の洗浄に用いる液体を、ＲＯ水と高濃度試薬とを混合して調製する装置が開示されている。この装置は、ＲＯ水と高濃度試薬とを混合して調製された液体を供給チャンバ内で貯留する。供給チャンバに貯留された液体は測定部に供給され、測定部を洗浄するために用いられる。
【先行技術文献】
【特許文献】
【０００３】
【特許文献１】特開２０１０−２３０５４１号公報
【発明の概要】
【発明が解決しようとする課題】
【０００４】
ここで、特許文献１に開示された装置では、供給指示に応じて測定部に迅速に洗浄に用いる液体を移送するために、供給チャンバの収容量の約半分の液体が供給チャンバに収容されているか否かを検知するためのフロートスイッチを設け、供給チャンバに収容された液体が供給チャンバの収容量の半分を下回ると供給チャンバの収容量の約半分の液体が供給チャンバに供給される。そのため、新たに調製された洗浄に用いるための液体が占めることができるのは、貯留される液体の約半分にとどまる。洗浄に用いるための液体は、調製後早期に洗浄に使用されることが好ましい。したがって、貯留される洗浄に用いるための液体の大部分を新たに調製された液体が占め、貯留された液体を用いて迅速に検体分析装置を洗浄することが可能な装置が望まれている。
【課題を解決するための手段】
【０００５】
本発明の第１の態様による洗浄液供給方法は、検体分析装置で使用する洗浄液を貯留するための貯留部において、洗浄液の液面高さが第１の高さになったことを検知した場合に貯留部に洗浄液を補給する第１補給モードと、貯留部における洗浄液の液面高さが第１の高さより低い第２の高さになったことを検知した場合に貯留部に洗浄液を補給する第２補給モードと、を実行する。
【０００６】
本発明の第２の態様による洗浄液供給方法は、検体分析装置で使用する洗浄液を貯留するための貯留部において、貯留されている洗浄液の量が少なくとも第１の量に維持されるように、洗浄液の使用と貯留部への補給を繰り返す第１モードと、貯留部に貯留されている洗浄液の量が第１の量よりも少なく、かつゼロよりも多い第２の量になるまで、洗浄液の使用を継続する第２モードと、を選択的に実行する。
【０００７】
本発明の第３の態様による検体分析装置は、検体を測定する測定部と、洗浄液を調製するための洗浄液調製部と、洗浄液調製部によって調製された洗浄液を貯留するための貯留部と、を備え、貯留部における洗浄液の液面高さが第１の高さになったことを検知した場合に貯留部に洗浄液を補給する第１補給モードと、貯留部における洗浄液の液面高さが第１の高さより低い第２の高さになったことを検知した場合に貯留部に洗浄液を補給する第２補給モードと、を選択的に実行可能に構成されている。
【０００８】
本発明の第４の態様による検体分析装置は、検体を測定する測定部と、洗浄液を調製するための洗浄液調製部と、洗浄液調製部によって調製された洗浄液を貯留するための貯留部と、を備え、貯留部において、貯留されている洗浄液の量が少なくとも第１の量に維持されるように、洗浄液の使用と貯留部への補給を繰り返す第１モードと、貯留部に貯留されている洗浄液の量が第１の量よりも少なく、かつゼロよりも多い第２の量になるまで、洗浄液の使用を継続する第２モードと、を選択的に実行するように構成されている。
【発明の効果】
【０００９】
本発明によれば、洗浄液を調製した後、調製された洗浄液を貯留し、貯留された洗浄液を使用して検体分析装置を洗浄する場合に、貯留される洗浄液の大部分を新たに調製された洗浄液で占めることが可能となり、貯留された洗浄液を用いて迅速に検体分析装置を洗浄することが可能となる。
【図面の簡単な説明】
【００１０】
【図１】実施の形態１に係る検体分析システムの構成を示す模式図。
【図２】測定部の構成を示す平面図。
【図３】データ処理部の構成を示すブロック図。
【図４】洗浄液調製装置の構成を示す模式図。
【図５】洗浄液調製動作の手順を示すフローチャート。
【図６】実施の形態１における第１補給モードの手順を示すフローチャート。
【図７Ａ】第１貯留部に対する洗浄液の供給を説明するための図。
【図７Ｂ】第１貯留部に対する洗浄液の供給を説明するための図。
【図７Ｃ】第１貯留部における洗浄液の入替を説明するための図。
【図８】第２補給モード開始条件の設定画面を示す図。
【図９】検体分析装置１の起動動作の手順を示すフローチャート。
【図１０】実施の形態１における第２補給モードの手順を示すフローチャート。
【図１１】実施の形態２における第１補給モードの手順を示すフローチャート。
【図１２】実施の形態２における第２補給モードの手順を示すフローチャート。
【図１３】実施の形態３に係る検体分析装置の構成を示す模式図。
【図１４】実施の形態３における第１補給モードの手順を示すフローチャート。
【図１５】実施の形態３における第２補給モードの手順を示すフローチャート。
【発明を実施するための形態】
【００１１】
（実施の形態１）
本実施の形態では、検体分析装置の洗浄に用いられる洗浄液を洗浄液調製装置によって調製し、洗浄液調製装置から検体分析装置に洗浄液を供給する検体分析システムについて説明する。
【００１２】
＜検体分析システムの構成＞
図１を参照し、検体分析システムの構成について説明する。検体分析システム１００は、検体分析装置１と、洗浄液調製装置４と、ＲＯ水作製装置７とを備えている。洗浄液調製装置４は、検体分析装置１及びＲＯ水作製装置７に接続されており、ＲＯ水作製装置７から供給された純水（ＲＯ水）を用いて洗浄液を調製し、調製した洗浄液を検体分析装置１に供給する。
【００１３】
検体分析装置１は、測定部２と、データ処理部３とを備える。測定部２は、検体を測定し、測定データを出力する。データ処理部３は、測定部２から出力された測定データを解析し、分析結果を表示する。
【００１４】
測定部２は、第１貯留部２０を備える。第１貯留部２０は、洗浄液調製装置４から供給された洗浄液を貯留するためのタンクである。
【００１５】
なお、ＲＯ水作製装置７を設置しない施設では、検体分析システム１００がＲＯ水作製装置７を含まず、検体分析装置１と、洗浄液調製装置４とを含む構成としてもよい。この場合、ＲＯ水作製装置７とは異なる純水タンク等の純水供給部によって洗浄液調製装置４に純水を供給する構成とすることができる。
【００１６】
＜検体分析装置の構成＞
図２を参照する。検体分析装置１は、血液等の検体を用いてＢ型肝炎、Ｃ型肝炎、腫瘍マーカ及び甲状腺ホルモン等の項目の検査を行うための免疫分析装置である。この検体分析装置１は、測定対象である血液等の検体と緩衝液（Ｒ１試薬）とを混合し、この混合液に、検体に含まれる抗原に結合可能な捕捉抗体を担持した磁性粒子（Ｒ２試薬）を添加する。検体分析装置１は、捕捉抗体と抗原とが結合（Ｂｏｕｎｄ）した後に、磁性粒子を１次Ｂ／Ｆ（Ｂｏｕｎｄ  Ｆｒｅｅ）分離部２４１の図示しない磁石に引き寄せることにより、未反応（Ｆｒｅｅ）の抗原を除去する。検体分析装置１は、標識抗体（Ｒ３試薬）を添加し、磁性粒子が結合した抗原と標識抗体とを結合させた後に、結合（Ｂｏｕｎｄ）した磁性粒子を２次Ｂ／Ｆ分離部２４２の図示しない磁石に引き寄せることにより、未反応（Ｆｒｅｅ）の標識抗体を除去する。さらに、検体分析装置１は、分散液（Ｒ４試薬）、及び、標識抗体との反応過程で発光する発光基質（Ｒ５試薬）を添加した後、標識抗体と発光基質との反応によって生じる発光量を測定する。このような過程を経て、検体分析装置１は、標識抗体に結合した検体に含まれる抗原を定量的に測定する。
【００１７】
洗浄液調製装置４によって調製される洗浄液は、測定部２の洗浄に用いられる洗浄液である。さらに詳細には、洗浄液は、防腐剤を含む緩衝液、リン酸緩衝生理食塩水等の洗浄用緩衝液であってもよい。また、洗浄液は、緩衝作用のない洗浄液であってもよいが、純水ではない。洗浄液は、高濃度洗浄液を所定の希釈倍率で希釈することで調製される。なお、洗浄液よりも高い希釈倍率で高濃度洗浄液を希釈した希釈溶液は、検体の希釈に用いることができる。Ｒ１試薬、Ｒ２試薬、Ｒ３試薬、Ｒ４試薬、及びＲ５試薬は、検体の測定に用いられる測定用試薬である。
【００１８】
測定部２は、検体分注部２１０と、Ｒ１試薬分注部２１１と、Ｒ２試薬分注部２１２と、Ｒ３試薬分注部２１３と、反応部２２０と、反応容器供給部２３０と、１次Ｂ／Ｆ分離部２４１と、２次Ｂ／Ｆ分離部２４２と、ピペットチップ供給部２５０と、検出部２６０と、Ｒ４／Ｒ５試薬供給部２１４と、試薬設置部２７０と、廃棄部２８０と、キャッチャ２９０とを備える。また、測定部２は、各機構を制御する制御部２００を備える。制御部２００は、ＣＰＵ、メモリ等を含む。
【００１９】
反応容器供給部２３０は、複数の反応容器を収納可能に構成されており、検体分注テーブル２３１に反応容器を１つずつ順次供給する。測定部２において、所定の時間間隔（例えば、９秒間）で区切られた連続するターン毎に、各機構が同じ動作を繰り返すことによって検体の測定が行われる。反応容器供給部２３０からも、１ターンにおいて１つの反応容器が供給され、これが連続することにより、反応容器が１つずつ供給される。検体分注テーブル２３１は、反応容器を保持可能な孔を円環状に複数有する。検体分注テーブル２３１は１ターンに１回、所定角度回転する。検体分注テーブル２３１では、ターン毎に、反応容器の設置、空の反応容器へのＲ１試薬分注、及びＲ１試薬分注済みの反応容器への検体分注が同時に行われる。
【００２０】
試薬設置部２７０は、平面的に見て円形形状に形成され、Ｒ１試薬を収容する試薬容器、Ｒ２試薬を収容する試薬容器、及びＲ３試薬を収容する試薬容器を設置可能である。
【００２１】
Ｒ１試薬分注部２１１は、吸引管であるプローブ２１１ａを含み、試薬設置部２７０に設置されたＲ１試薬をプローブ２１１ａによって吸引し、吸引したＲ１試薬を検体分注テーブル２３１に載置された反応容器に分注する。Ｒ１試薬分注部２１１は、１ターンにＲ１試薬の吸引及び反応容器内への分注を１回行う。
【００２２】
ピペットチップ供給部２５０は、投入された複数のピペットチップを１つずつ検体分注部２１０まで搬送する。ピペットチップは、検体分注部２１０のピペット先端に取り付けられる。ピペットチップ供給部２５０は、１ターンに１つのピペットチップを供給する。
【００２３】
検体分注部２１０は、ピペットチップを装着した後、検体を収容する試験管から検体を吸引し、Ｒ１試薬分注部２１１によりＲ１試薬が分注された反応容器に検体を分注する。検体分注部２１０は、１ターンに１つの検体を吸引し、反応容器へ分注する。検体分注テーブル２３１の近傍には反応容器を移送するためのキャッチャ２３２が設けられている。キャッチャ２３２は、検体分注テーブル２３１上の検体が分注された反応容器を把持し、反応部２２０に設置する。
【００２４】
Ｒ２試薬分注部２１２は、吸引管であるプローブ２１２ａを含み、試薬設置部２７０に設置されたＲ２試薬をプローブ２１２ａによって吸引し、Ｒ１試薬及び検体を収容する反応容器にＲ２試薬を分注する。Ｒ２試薬分注部２１２は、１ターンにＲ２試薬の吸引及び反応容器内への分注を１回行う。
【００２５】
反応部２２０は、試薬設置部２７０の周囲を取り囲むように中空の円形形状に形成されている。また、反応部２２０は、外形に沿って所定間隔に配置された複数の反応容器設置部２２１を有し、反応容器設置部２２１は、反応容器を挿入可能なように円形形状で凹状に形成されている。また、反応部２２０は、反応容器設置部２２１にセットされた反応容器を約４２℃に加温し、反応容器内の検体と各種試薬との反応を促進する。また、反応部２２０は、時計回り方向（矢印Ａ１方向）に回転可能であり、反応容器設置部２２１にセットされた反応容器を、各種処理（試薬の分注など）が行われるそれぞれの処理位置まで移動させる。反応部２２０は、１ターンに、隣り合う２つの反応容器設置部２２１間の角度Ａ１方向へ回動する。
【００２６】
１次Ｂ／Ｆ分離部２４１は、反応容器内の試料から未反応の抗原と磁性粒子とを分離する。１次Ｂ／Ｆ分離部２４１は、反応部２２０から反応容器を抜き出し、反応容器内の検体、Ｒ１試薬及びＲ２試薬を撹拌する。また、１次Ｂ／Ｆ分離部２４１は、反応容器内の磁性粒子を磁石に吸引し、ピペットにより反応容器内の液体のみを吸引する。これにより、反応容器内から未反応の抗原が除去される。１次Ｂ／Ｆ分離部２４１は、未反応の抗原を除去した後、反応容器を反応部２２０へ移送する。
【００２７】
１次Ｂ／Ｆ分離部２４１は、１ターンに、反応部２２０からの１つの反応容器の移送、反応容器内の液体及び磁性粒子の撹拌、反応容器内の液体の除去、及び反応部２２０への１つの反応容器の移送を同時に実行する。
【００２８】
Ｒ３試薬分注部２１３は、吸引管であるプローブ２１３ａを含み、試薬設置部２７０に設置されたＲ３試薬をプローブ２１３ａによって吸引する。また、Ｒ３試薬分注部２１３は、１次Ｂ／Ｆ分離部２４１によるＢ／Ｆ分離後の試料を収容する反応容器に、Ｒ３試薬を分注する。Ｒ３試薬分注部２１３は、１ターンにＲ３試薬の吸引及び反応容器内への分注を１回行う。
【００２９】
２次Ｂ／Ｆ分離部２４２は、１次Ｂ／Ｆ分離部２４１によるＢ／Ｆ分離後の試料及びＲ３試薬を収容する反応容器を反応部２２０から移送し、反応容器内の試料から未反応のＲ３試薬（不要成分）と磁性粒子とを分離する。２次Ｂ／Ｆ分離部２４２の構成は、１次Ｂ／Ｆ分離部２４１の構成と同様であるので、その説明を省略する。
【００３０】
Ｒ４／Ｒ５試薬供給部２１４は、２次Ｂ／Ｆ分離部２４２によるＢ／Ｆ分離後の試料を収容する反応容器に、Ｒ４試薬及びＲ５試薬を順に分注する。Ｒ４／Ｒ５試薬供給部２１４は、１ターンに１つの反応容器にＲ４試薬を分注し、次の１ターンにこの反応容器にＲ５試薬を分注する。
【００３１】
検出部２６０は、所定の処理が行なわれた検体の抗原に結合する標識抗体と発光基質との反応過程で生じる光を光電子増倍管（Ｐｈｏｔｏ  Ｍｕｌｔｉｐｌｉｅｒ  Ｔｕｂｅ）で取得することにより、その検体に含まれる抗原の量を測定する。検出部２６０は、１ターンに１つの検体について特徴量である抗原量を検出する。
【００３２】
廃棄部２８０は、抗原量が検出された反応容器が投入される孔と、投入された反応容器を収容する廃棄袋（図示せず）を備える。
【００３３】
キャッチャ２９０は、反応部２２０から反応容器を取り出して検出部２６０に移送する。さらに、キャッチャ２９０は、抗原量が検出された反応容器を検出部２６０から取り出して廃棄部２８０に投入する。
【００３４】
制御部２００は、検出部２６０から出力された抗原量のデータを、測定データとしてデータ処理部３へ送信する。
【００３５】
以上のような測定部２は、反応部２２０に所定数の反応容器設置部２２１を有する。つまり、反応部２２０には、所定数の反応容器を設置可能である。
【００３６】
また、検体分注部２１０、Ｒ１試薬分注部２１１、Ｒ２試薬分注部２１２、Ｒ３試薬分注部２１３、及びＲ４／Ｒ５試薬供給部２１４のそれぞれは、第１貯留部２０に接続されている。
【００３７】
図４を参照する。第１貯留部２０は、第１検出部２１と第２検出部２２とを含む。第１及び第２検出部２１，２２のそれぞれは、液面の高さを検出するためのフロートスイッチである。
【００３８】
第１検出部２１は、第１貯留部２０の液量が第１の量未満となったことを検出する。具体的には、第１検出部２１はフロート部を含み、フロート部が液量に応じて上下動する。第１貯留部２０の液量が第１の量となる高さに、第１検出部２１の検出位置が設けられる。フロート部が検出位置に到達した場合、つまり液量が第１の量未満の場合、第１検出部２１は検出信号を出力する。フロート部が検出位置より上側にある場合、つまり液量が第１の量以上の場合、第１検出部２１は検出信号を出力しない。
【００３９】
第２検出部２２は、第１貯留部２０の液量が第２の量未満となったことを検出する。具体的には、第２検出部２２はフロート部を含み、フロート部が液量に応じて上下動する。第１貯留部２０の液量が第２の量となる高さに、第２検出部２２の検出位置が設けられる。フロート部が検出位置に到達した場合、つまり液量が第２の量未満の場合、第２検出部２２は検出信号を出力する。フロート部が検出位置より上側にある場合、つまり液量が第２の量以上の場合、第２検出部２２は検出信号を出力しない。
【００４０】
第１の量は、第１貯留部２０の満杯に近い量である。例えば、第１貯留部２０の容量が１０Ｌの場合、第１の量を９Ｌとすることができる。また、第２の量は、第１の量よりも少ない量である。第２の量は、少なくとも測定部２において測定中の検体を測定するために、Ｒ１試薬分注部２１１、Ｒ２試薬分注部２１２、及びＲ３試薬分注部２１３の洗浄に必要な洗浄液の量とすることができる。第２の量は、所定数の検体を測定するために、Ｒ１試薬分注部２１１、Ｒ２試薬分注部２１２、及びＲ３試薬分注部２１３の洗浄に必要な洗浄液の量とすることができる。具体的には、第２の量は、反応部２２０に設置される反応容器の全てにＲ１〜Ｒ３試薬を分注するために、Ｒ１試薬分注部２１１、Ｒ２試薬分注部２１２、及びＲ３試薬分注部２１３の洗浄に必要な洗浄液の量である。各ターンにおいて、Ｒ１試薬分注部２１１、Ｒ２試薬分注部２１２、及びＲ３試薬分注部２１３のそれぞれはプローブ２１１ａ，２１２ａ，２１３ａを洗浄液によって洗浄する。つまり、第２の量は、プローブ２１１ａ，２１２ａ，２１３ａを所定回数洗浄することが可能な洗浄液の量でもある。なお、検体分注部２１０は、検体の分注毎にピペットチップを廃棄するため、洗浄は不要である。また、Ｒ４／Ｒ５試薬供給部２１４は、測定項目間で共通のＲ４試薬及びＲ５試薬を反応容器に分注するため、洗浄液調製装置４によって調製された洗浄液よりも洗浄力が弱い洗浄液によって洗浄される。以下の説明では、第１貯留部２０の容量を約１０Ｌ、第１の量を約９Ｌ、第２の量を約３Ｌとする。
【００４１】
なお、免疫分析装置以外の検体分析装置であってもよい。例えば、血球分析装置、血液凝固分析装置、尿中有形成分分析装置、生化学分析装置等であってもよい。特に、反応容器を複数並べて設置する環状の反応部を含み、反応部を回転させながら各反応容器に検体又は試薬を分注して所定時間反応させ、反応容器中の検体を測定する構成の検体分析装置であることが好ましい。この場合、検体分析装置の測定部に貯留部を設け、この貯留部に、洗浄液調製装置によって調製された洗浄液を貯留するように検体分析装置を構成する。
【００４２】
図３を参照し、データ処理部３の構成について説明する。データ処理部３は、本体３００と、入力部３０９と、表示部３１０とを備えている。本体３００は、ＣＰＵ（Central Processing Unit）３０１と、ＲＯＭ（Read Only Memory）３０２と、ＲＡＭ（Random Access Memory）３０３と、ハードディスク３０４と、読出装置３０５と、入出力インターフェース３０６と、画像出力インターフェース３０７と、通信インターフェース３０８とを有する。
【００４３】
ＣＰＵ３０１は、ＲＯＭ３０２に記憶されているコンピュータプログラム及びＲＡＭ３０３にロードされたコンピュータプログラムを実行する。ＲＡＭ３０３は、ＲＯＭ３０２及びハードディスク３０４に記録されているコンピュータプログラムの読み出しに用いられる。ＲＡＭ３０３は、コンピュータプログラムを実行するときに、ＣＰＵ３０１の作業領域としても利用される。
【００４４】
ハードディスク３０４には、測定部２から与えられた測定データを解析し、分析結果を表示するためのコンピュータプログラム３２０がインストールされている。
【００４５】
読出装置３０５は、フレキシブルディスクドライブ、ＣＤ−ＲＯＭドライブ、又はＤＶＤ−ＲＯＭドライブ等であり、可搬型記録媒体３２１に記録されたコンピュータプログラム又はデータを読み出すことができる。また、可搬型記録媒体３２１には、コンピュータをデータ処理部３として機能させるためのコンピュータプログラム３２０が格納されている。可搬型記録媒体３２１から読み出されたコンピュータプログラム３２０は、ハードディスク３０４にインストールされる。
【００４６】
入力部３０９は、入出力インターフェース３０６に接続される。表示部３１０は、画像出力インターフェース３０７に接続される。通信インターフェース３０８は、測定部２及び洗浄液調製装置４に通信可能に接続される。
【００４７】
＜洗浄液調製装置の構成＞
図４を参照する。洗浄液調製装置４は、水道水から作製されるＲＯ水を用いて高濃度の洗浄液（洗浄液の原液。以下、「高濃度洗浄液」という。）を所望の濃度に希釈することにより、洗浄液を調製する。ここで、ＲＯ水とは、純水の一種であり、ＲＯ（Ｒｅｖｅｒｓｅ  Ｏｓｍｏｓｉｓ）膜（逆浸透膜）を透過することによって、不純物を取り除かれた水である。また、純水とは、ＲＯ水の他に、精製水、脱イオン水、および蒸留水などを含み、不純物を取り除く処理が実施された水である。
【００４８】
洗浄液調製装置４は、高濃度洗浄液チャンバ４１と、ＲＯ水チャンバ４２と、第１及び第２希釈チャンバ４３，４４と、２つのダイアフラムポンプ４５ａ，４５ｂと、第２貯留部４６と、洗浄液調製装置４の各部の動作を制御する制御部４８とを備える。制御部４８は、ＣＰＵ及びメモリ等を含む。また、洗浄液調製装置４は、筐体外に設置された２つの高濃度洗浄液容器５と、空圧部６と、ＲＯ水作製装置７とのそれぞれに接続されている。洗浄液調製装置４は、高濃度洗浄液容器５及びＲＯ水作製装置７のそれぞれから高濃度洗浄液及びＲＯ水を取得するとともに、空圧部６から供給される陰圧力及び陽圧力を用いて、装置内における各液体の移送を行う。
【００４９】
また、制御部４８は、第１貯留部２０に設けられた第１及び第２検出部２１，２２のそれぞれに接続されている。第１及び第２検出部２１，２２は、検出信号を制御部４８に出力する。
【００５０】
高濃度洗浄液チャンバ４１は、２つの高濃度洗浄液容器５から選択的に高濃度洗浄液が供給される。高濃度洗浄液チャンバ４１には、チャンバ内に所定量の高濃度洗浄液が収容されていることを検知するためのフロートスイッチ４１１が設けられている。フロートスイッチ４１１のフロート部が液量に応じて上下動し、フロート部が下限に到達すると、制御部４８が各部を制御し、高濃度洗浄液容器５から高濃度洗浄液チャンバ４１に高濃度洗浄液が供給される。フロート部が上限に到達すると、制御部４８が各部を制御し、高濃度洗浄液容器５から高濃度洗浄液チャンバ４１への高濃度洗浄液の供給が停止される。これにより、高濃度洗浄液チャンバ４１には、常時、約３００ｍＬの高濃度洗浄液が貯留される。
【００５１】
２つの高濃度洗浄液容器５のそれぞれは、切替弁である電磁バルブ５１０を介して高濃度洗浄液チャンバ４１に接続される。高濃度洗浄液チャンバ４１に高濃度洗浄液を供給する場合、制御部４８は２つの電磁バルブ５１０のうちの１つを開き、もう１つを閉じるように制御する。これにより、１つの高濃度洗浄液容器５から高濃度洗浄液チャンバ４１に高濃度洗浄液が供給され、もう１つの高濃度洗浄液容器５からは高濃度洗浄液が供給されない。したがって、１つの高濃度洗浄液容器５から高濃度洗浄液チャンバ４１に高濃度洗浄液を供給している間に、もう１つの高濃度洗浄液容器５を交換することができる。
【００５２】
また、高濃度洗浄液チャンバ４１は、流路４００により、ダイアフラムポンプ４５ａ（４５ｂ）から第１希釈チャンバ４３（第２希釈チャンバ４４）に液体を移送するための流路４０１に接続されている。また、流路４００には、切替弁である電磁バルブ４２１が設けられている。電磁バルブ４２１の開閉により高濃度洗浄液の流路４０１への流入が制御される。
【００５３】
ＲＯ水チャンバ４２は、ＲＯ水作製装置７に接続される。ＲＯ水作製装置７は、高濃度洗浄液を希釈するためのＲＯ水をＲＯ水チャンバ４２に供給する。
【００５４】
ＲＯ水作製装置７とＲＯ水チャンバ４２との間の流路５００には、電気伝導度測定部４３１が設けられる。電気伝導度測定部４３１は、電気伝導度計と温度センサ（サーミスタ）とを含み、電気伝導度測定部４３１が配置された位置におけるＲＯ水の電気伝導度を測定する。ＲＯ水における不純物の含有率と電気伝導度とは所定の関係を有するので、ＲＯ水の電気伝導度を測定することにより、ＲＯ水の不純物含有率が規定値以上か否かを判定できる。
【００５５】
電気伝導度測定部４３１とＲＯ水チャンバ４２との間の流路５００は、ＲＯ水チャンバ４２へＲＯ水を供給するための流路５０１と、流入したＲＯ水を廃棄するための廃棄ポート５０３に接続された流路５０２とに分岐する。流路５００と流路５０１とは供給バルブ５０１ａを介して接続され、流路５００と流路５０２とは廃棄バルブ５０２ａを介して接続されている。これにより、廃棄バルブ５０２ａを閉塞した状態で供給バルブ５０１ａを開放すると、ＲＯ水作製装置７から供給されるＲＯ水が流路５００および流路５０１を介してＲＯ水チャンバ４２に流入する。また、供給バルブ５０１ａを閉塞した状態で廃棄バルブ５０２ａを開放すると、ＲＯ水作製装置７から供給されるＲＯ水が流路５００および流路５０２を介して廃棄ポート５０３から廃棄される。
【００５６】
ＲＯ水作製装置７から送られるＲＯ水の不純物含有率が規定値以上の場合、制御部４８が供給バルブ５０１ａ及び廃棄バルブ５０２ａを制御し、ＲＯ水が廃棄流路から廃棄される。また、ＲＯ水作製装置７から送られるＲＯ水の不純物含有率が規定値未満の場合、制御部４８が供給バルブ５０１ａ及び廃棄バルブ５０２ａを制御し、ＲＯ水がＲＯ水チャンバ４２に送られる。
【００５７】
ＲＯ水チャンバ４２には、チャンバ内に収容されるＲＯ水が所定量（約８００ｍＬ）に達したことを検知するためのフロートスイッチ４１２が設けられている。フロートスイッチ４１２のフロート部が液量に応じて上下動し、ＲＯ水チャンバ４２の所定量（約８００ｍＬ）に対応する検出位置より下方に到達すると、制御部４８が各部を制御し、ＲＯ水作製装置７からＲＯ水チャンバ４２にＲＯ水が供給される。フロート部が検出位置以上に到達すると、制御部４８が各部を制御し、ＲＯ水作製装置７からＲＯ水チャンバ４２へのＲＯ水の供給が停止される。
【００５８】
また、ＲＯ水チャンバ４２は、切替弁である電磁バルブ４２２を介して、流路４０２によりダイアフラムポンプ４５ａ，４５ｂに接続されている。
【００５９】
第１及び第２希釈チャンバ４３，４４のそれぞれは、ＲＯ水により高濃度洗浄液を希釈するために用いられる。第１及び第２希釈チャンバ４３，４４のそれぞれは、後述するように、ダイアフラムポンプ４５ａ，４５ｂによって送り込まれる約３００ｍＬの液体（高濃度洗浄液およびＲＯ水の混合液）を収容可能である。第１及び第２希釈チャンバ４３，４４のそれぞれには、チャンバ内に収容された液体（高濃度洗浄液およびＲＯ水の混合液）の残量が略ゼロとなったことを検知するための上下動可能なフロートスイッチ４１３，４１４が設けられている。また、第１希釈チャンバ４３（第２希釈チャンバ４４）は、切替弁である電磁バルブ４２３（４２４）を介して、流路４０３（４０４）により流路４０１に接続されている。電磁バルブ４２３，４２４の開閉を制御することによって、流路４０１を介して移送される液体（ＲＯ水および高濃度洗浄液）を流路４０３から第１希釈チャンバ４３に供給するか、流路４０４から第２希釈チャンバ４４に供給するかを選択することが可能である。第１希釈チャンバ４３（第２希釈チャンバ４４）は、切替弁である電磁バルブ４２５（４２６）を介して、第２貯留部４６に接続されている。
【００６０】
ダイアフラムポンプ４５ａ，４５ｂは、同時に同じ動作を行うように構成されている。ダイアフラムポンプ４５ａ（４５ｂ）は、１回の定量動作で高濃度洗浄液およびＲＯ水をそれぞれ約６．０ｍＬ（一定量）分定量し、１回の定量によって合計約１２ｍＬ（約６．０ｍＬ×２）の液体を供給する。
【００６１】
第２貯留部４６は、約３００ｍＬの液体を収容可能に構成されており、第１及び第２希釈チャンバ４３，４４から選択的に供給される液体（高濃度洗浄液およびＲＯ水の混合液）を貯留し、この液体を攪拌するために用いられる。具体的には、第２貯留部４６は、屈曲されたパイプ４６１を有し、第１及び第２希釈チャンバ４３，４４から供給される液体（高濃度洗浄液およびＲＯ水の混合液）が第２貯留部４６の内壁面に沿って流動されることにより対流が発生して高濃度洗浄液とＲＯ水とが攪拌される。
【００６２】
第２貯留部４６には、チャンバ内に収容された液体（高濃度洗浄液およびＲＯ水の混合液）の残量が略ゼロとなったことを検知するための上下動可能なフロートスイッチ４１５が設けられている。第１希釈チャンバ４３から第２貯留部４６に液体を移送する場合には、制御部４８が電磁バルブ４２５を開放するとともに、電磁バルブ４２６を閉じる。これにより、第１希釈チャンバ４３から第２貯留部４６に約３００ｍＬの液体（高濃度洗浄液およびＲＯ水の混合液）が供給される。一方、第２希釈チャンバ４４から第２貯留部４６に液体を移送する場合には、制御部４８が電磁バルブ４２６を開放するとともに、電磁バルブ４２５を閉じる。これにより、第２希釈チャンバ４４から第２貯留部４６に約３００ｍＬの液体（高濃度洗浄液およびＲＯ水の混合液）が供給される。
【００６３】
第２貯留部４６が高濃度洗浄液及びＲＯ水の混合液を攪拌し、所望濃度、例えば２５倍に希釈された洗浄液を調製する。第２貯留部４６は、切替弁である供給部４２７を介して、測定部２に設けられた第１貯留部２０に接続されている。供給部４２７は、電磁バルブである。制御部４８が供給部４２７を制御することで、第２貯留部４６から第１貯留部２０に所望濃度の洗浄液が供給される。具体的には、制御部４８が供給部４２７を含む各部を制御することにより、第２貯留部４６から１回につき約３００ｍＬ（第２貯留部４６において１回の調製動作によって調製された洗浄液の全量）の所望濃度の洗浄液が第１貯留部２０に供給される。
【００６４】
また、第２貯留部４６から供給部４２７の間には、電気伝導度測定部４３２が設けられる。電気伝導度測定部４３２は、電気伝導度計と温度センサ（サーミスタ）とを含み、電気伝導度測定部４３２が配置された位置における洗浄液の電気伝導度を測定する。洗浄液の濃度と電気伝導度とは所定の関係を有するので、ＲＯ水と高濃度洗浄液とが混合された洗浄液（混合液）の電気伝導度を測定することにより、調製された洗浄液の濃度を判定できる。また、電気伝導度測定部４３２と供給部４２７との間には、電磁バルブ４２８を介して廃棄流路が接続されている。測定された洗浄液の濃度が所望の濃度ではない場合には、洗浄液が廃棄流路から廃棄される。
【００６５】
また、洗浄液調製装置４が洗浄液を調製する速度は、約１０Ｌ／時間である。
【００６６】
＜検体分析システムの動作＞
次に、本実施の形態に係る検体分析システム１００の動作について説明する。
【００６７】
検体分析装置１に測定開始の指示が与えられると、測定部２が検体測定動作を実行する。検体測定動作では、制御部２００が各部を制御し、以下のようにして測定部２が検体を測定する。
【００６８】
図２を参照する。反応容器供給部２３０が検体分注テーブル２３１に反応容器を１ターンにつき１つ供給する。Ｒ１試薬分注部２１１が、試薬設置部２７０に設置されたＲ１試薬を吸引し、検体分注テーブル２３１に設置された反応容器にＲ１試薬を１ターンにつき１回分注する。ピペットチップ供給部２５０が検体分注部２１０にピペットチップを１ターンにつき１つ供給し、検体分注部２１０がピペットチップを装着する。検体分注部２１０が、試験管から検体を吸引し、Ｒ１試薬が収容された反応容器に検体を１ターンにつき１回分注する。キャッチャ２３２が、１ターンにつき１つの反応容器を、検体分注テーブル２３１から反応部２２０に移送する。
【００６９】
Ｒ２試薬分注部２１２が、試薬設置部２７０に設置されたＲ２試薬を吸引し、反応部２２０に設置された反応容器にＲ２試薬を１ターンにつき１回分注する。反応部２２０は１ターンにつき１回、所定角度Ａ１方向に回動する。Ｒ２試薬が分注された反応容器は、反応部２２０において所定時間回動され、所定の第１取出位置に到達する。１次Ｂ／Ｆ分離部２４１は、１ターンにつき１回、第１取出位置の反応容器を取り出し、所定の保持位置に移送する。１次Ｂ／Ｆ分離部２４１は、１ターンにつき１回、保持位置に設置された反応容器内の液体及び磁性粒子を攪拌する。１次Ｂ／Ｆ分離部２４１は、１ターンにつき１回、反応容器から液体を吸引し、未反応の抗原を除去する。１次Ｂ／Ｆ分離部２４１は、未反応の磁性粒子が除去された反応容器を、保持位置から反応部２２０の所定の第１設置位置に１ターンにつき１回移送する。
【００７０】
Ｒ３試薬分注部２１３が、試薬設置部２７０に設置されたＲ３試薬を吸引し、１次Ｂ／Ｆ分離部２４１から反応部２２０に戻された反応容器にＲ３試薬を１ターンにつき１回分注する。Ｒ３試薬が分注された反応容器は、反応部２２０において所定時間回動され、所定の第２取出位置に到達する。２次Ｂ／Ｆ分離部２４２は、１ターンにつき１回、第２取出位置の反応容器を取り出し、所定の保持位置に移送する。２次Ｂ／Ｆ分離部２４２は、１ターンにつき１回、保持位置に設置された反応容器内の液体及び磁性粒子を攪拌する。２次Ｂ／Ｆ分離部２４２は、１ターンにつき１回、反応容器から液体を吸引し、不要成分を除去する。２次Ｂ／Ｆ分離部２４２は、不要成分が除去された反応容器を、保持位置から反応部２２０の所定の第２設置位置に１ターンにつき１回移送する。
【００７１】
Ｒ４／Ｒ５試薬供給部２１４が、２次Ｂ／Ｆ分離部２４２から反応部２２０に戻された反応容器にＲ４試薬を１ターンにつき１回分注し、次の１ターンに同じ反応容器にＲ５試薬を分注する。Ｒ４試薬及びＲ５試薬が分注された反応容器は、反応部２２０において所定時間回動され、所定の第３取出位置に到達する。キャッチャ２９０が、第３取出位置に到達した反応容器を検出部２６０へ移送する。検出部２６０は、検体の抗原量を検出する。キャッチャ２９０は、測定後の反応容器を検出部２６０から取り出し、廃棄部２８０に廃棄する。
【００７２】
制御部２００は、検出部２６０によって検出された検体の抗原量を示す測定データを、データ処理部３へ送信する。データ処理部３は、測定データを解析し、分析結果を表示部３１０に表示する。
【００７３】
上記のような測定動作において、検体分注部２１０、Ｒ１試薬分注部２１１、Ｒ２試薬分注部２１２、Ｒ３試薬分注部２１３、Ｒ４／Ｒ５試薬供給部２１４は、第１貯留部２０に貯留されている洗浄液を使用して、各ターンで液体の流路を洗浄する洗浄動作を実行する。Ｒ１試薬分注部２１１、Ｒ２試薬分注部２１２、及びＲ３試薬分注部２１３では、プローブ２１１ａ、２１２ａ、２１３ａが洗浄液によって洗浄される。なお、１次Ｂ／Ｆ分離部２４１及び２次Ｂ／Ｆ分離部２４２は、未反応の抗原を除去する際に、洗浄液とは異なる洗浄液によって磁性粒子を洗浄できる。測定部２が第１貯留部２０の洗浄液を消費する速度は、約９Ｌ／時間である。
【００７４】
図５を参照し、洗浄液調製装置４による洗浄液調製動作について説明する。
【００７５】
制御部４８は、フロートスイッチ４１１の出力信号に基づき、高濃度洗浄液チャンバ４１が空か否かを判定する（ステップＳ１０１）。高濃度洗浄液チャンバ４１が空である場合、つまり、フロートスイッチ４１１のフロート部が下限に達した場合（ステップＳ１０１においてＹＥＳ）、制御部４８が電磁バルブ５１０の１つを開き、もう１つを閉じることで、１つの高濃度洗浄液容器５から高濃度洗浄液チャンバ４１への高濃度洗浄液の供給を開始する（ステップＳ１０２）。高濃度洗浄液チャンバ４１が空ではない場合（ステップＳ１０１においてＮＯ）、制御部４８は、処理をステップＳ１０５へ移す。
【００７６】
制御部４８は、フロートスイッチ４１１の出力信号に基づき、高濃度洗浄液チャンバ４１が満杯か否かを判定する（ステップＳ１０３）。高濃度洗浄液チャンバ４１に高濃度洗浄液が供給された結果、高濃度洗浄液チャンバ４１が満杯となった場合、つまり、フロートスイッチ４１１のフロート部が上限に達した場合（ステップＳ１０３においてＹＥＳ）、制御部４８が開状態の電磁バルブ５１０を閉じ、高濃度洗浄液の供給を停止する（ステップＳ１０４）。これにより、高濃度洗浄液チャンバ４１に約３００ｍＬの高濃度洗浄液が貯留される。高濃度洗浄液チャンバ４１が満杯ではない場合（ステップＳ１０３においてＮＯ）、制御部４８は、ステップＳ１０３の処理を繰り返す。
【００７７】
制御部４８は、フロートスイッチ４１２の出力信号に基づき、ＲＯ水チャンバ４２における液量が規定量（約８００ｍＬ）未満であるか否かを判定する（ステップＳ１０５）。ＲＯ水チャンバ４２における液量が規定量未満である場合（ステップＳ１０５においてＹＥＳ）、制御部４８が供給バルブ５０１ａを開き、ＲＯ水作製装置７からＲＯ水チャンバ４２へのＲＯ水の供給を開始する（ステップＳ１０６）。ＲＯ水チャンバ４２における液量が規定量以上である場合（ステップＳ１０５においてＮＯ）、制御部４８は、処理をステップＳ１０９へ移す。
【００７８】
制御部４８は、フロートスイッチ４１２の出力信号に基づき、ＲＯ水チャンバ４２における液量が規定量（約８００ｍＬ）以上であるか否かを判定する（ステップＳ１０７）。ＲＯ水チャンバ４２における液量が規定量以上である場合（ステップＳ１０７においてＹＥＳ）、制御部４８が開状態の供給バルブ５０１ａを閉じ、ＲＯ水の供給を停止する（ステップＳ１０８）。これにより、ＲＯ水チャンバ４２に約８００ｍＬのＲＯ水が貯留される。ＲＯ水チャンバ４２における液量が規定量（約８００ｍＬ）に達していない場合（ステップＳ１０７においてＮＯ）、制御部４８は、ステップＳ１０７の処理を繰り返す。
【００７９】
制御部４８は、フロートスイッチ４１３，４１４の出力信号に基づき、第１及び第２希釈チャンバ４３，４４の何れかが空であるか否かを判定する（ステップＳ１０９）。第１及び第２希釈チャンバ４３，４４の何れかが空である場合、つまり、フロートスイッチ４１３又は４１４のフロート部が下限に達した場合（ステップＳ１０９においてＹＥＳ）、制御部４８がダイアフラムポンプ４５ａ，４５ｂを制御し、第１及び第２希釈チャンバ４３，４４のうちの空の方の１つへ所定量の高濃度洗浄液及びＲＯ水を供給する（ステップＳ１１０）。このとき、１２ｍＬのＲＯ水が２４回供給され、１２ｍＬの高濃度洗浄液が１回供給される。つまり、高濃度洗浄液がＲＯ水によって２５倍に希釈される。第１及び第２希釈チャンバ４３，４４の両方が空ではない場合（ステップＳ１０９においてＮＯ）、制御部４８は、処理をステップＳ１１１へ移す。
【００８０】
制御部４８は、フロートスイッチ４１５の出力信号に基づき、第２貯留部４６が空であるか否かを判定する（ステップＳ１１１）。第２貯留部４６が空である場合、つまり、フロートスイッチ４１５のフロート部が下限に達した場合（ステップＳ１１１においてＹＥＳ）、制御部４８が電磁バルブ４２５，４２６を制御し、第１及び第２希釈チャンバ４３，４４のうちの一方から第２貯留部４６への液体の供給を開始する（ステップＳ１１２）。
【００８１】
制御部４８は、第２貯留部４６へ所定量（約３００ｍＬ）の液体を供給したか否かを判定する（ステップＳ１１３）。この処理では、フロートスイッチ４１３，４１４の出力信号に基づき、制御部４８が、第１及び第２希釈チャンバ４３，４４のうちの１つから全量（約３００ｍＬ）の液体が第２貯留部４６へ供給されたか否かを判定する。第２貯留部４６へ所定量の液体を供給した場合（ステップＳ１１３においてＹＥＳ）、電磁バルブ４２５，４２６を制御し、第２貯留部４６への液体の供給を停止し（ステップＳ１１４）、処理を終了する。第２貯留部４６では、供給された液体が攪拌され、これにより、第２貯留部４６に約３００ｍＬの所望濃度の洗浄液が貯留される。第２貯留部４６へ所定量の液体をまだ供給していない場合（ステップＳ１１３においてＮＯ）、制御部４８は、ステップＳ１１３の処理を繰り返す。
【００８２】
洗浄液調製装置４は、以上のような洗浄液調製動作を繰り返し実行することで、高濃度洗浄液チャンバ４１、ＲＯ水チャンバ４２、第１希釈チャンバ４３、第２希釈チャンバ４４、第２貯留部４６に液体が貯留された状態とする。
【００８３】
＜第１補給モード＞
洗浄液調製装置４は、測定部２における洗浄液の消費に伴い、次のような第１補給モードを実行する。
【００８４】
図６を参照し、第１補給モードについて説明する。
【００８５】
第１補給モードでは、制御部４８が、第１検出部２１の出力信号に基づいて、第１貯留部２０の液量が第１の量未満であるか否かを判定する（ステップＳ２０１）。第１貯留部２０の液量が第１の量以上である場合、つまり、第１検出部２１から検出信号が出力されていない場合（ステップＳ２０１においてＮＯ）、制御部４８はステップＳ２０１の処理を繰り返す。
【００８６】
第１貯留部２０の液量が第１の量未満である場合、つまり、第１検出部２１から検出信号が出力された場合（ステップＳ２０１においてＹＥＳ）、制御部４８は洗浄液残量が第１の量未満であることを通知するための通知データをデータ処理部３へ送信する（ステップＳ２０２）。
【００８７】
ＣＰＵ３０１は、データ処理部３が洗浄液残量の通知データを受信すると（ステップＳ２０３）、洗浄液の補給の開始を指示する指示データを、洗浄液調製装置４へ送信する（ステップＳ２０４）。
【００８８】
制御部４８は、洗浄液調製装置４が洗浄液の補給の開始の指示データを受信すると（ステップＳ２０５）、供給部４２７を開き、第２貯留部４６から第１貯留部２０への洗浄液の補給を開始する（ステップＳ２０６）。図７Ａに示すように、第１貯留部２０の液量が第１の量未満となると、第１貯留部２０に洗浄液の補給が開始される。
【００８９】
制御部４８は、第１検出部２１の出力信号に基づいて、第１貯留部２０の液量が第１の量以上であるか否かを判定する（ステップＳ２０７）。第１貯留部２０の液量が第１の量未満である場合、つまり、第１検出部２１から検出信号が出力されている場合（ステップＳ２０７においてＮＯ）、制御部４８はステップＳ２０７の処理を繰り返す。これにより、第２貯留部４６から第１貯留部２０へ継続して洗浄液が補給される。
【００９０】
第１貯留部２０の液量が第１の量以上となった場合、つまり、第１検出部２１から検出信号が出力されなくなった場合（ステップＳ２０７においてＹＥＳ）、制御部４８は洗浄液残量が第１の量以上になったことを通知するための通知データをデータ処理部３へ送信する（ステップＳ２０８）。
【００９１】
ＣＰＵ３０１は、データ処理部３が洗浄液残量の通知データを受信すると（ステップＳ２０９）、洗浄液の補給の停止を指示する指示データを、洗浄液調製装置４へ送信し（ステップＳ２１０）、処理を終了する。
【００９２】
制御部４８は、洗浄液調製装置４が洗浄液の補給の停止の指示データを受信すると（ステップＳ２１１）、供給部４２７を閉じ、第２貯留部４６から第１貯留部２０への洗浄液の補給を停止し（ステップＳ２１２）、処理を終了する。図７Ｂに示すように、第１貯留部２０の液量が第１の量以上となると、第１貯留部２０に洗浄液が補給されなくなる。
【００９３】
第１補給モードでは、第１貯留部２０の液量が第１の量（約９Ｌ）未満となった場合に、第１貯留部２０への洗浄液の補給が開始される。つまり、第１貯留部２０への洗浄液の補給が開始される時点では、第１貯留部２０の液量は第１の量より若干（例えば、数ｍＬ〜数十ｍＬ程度）少ない。また、第１貯留部２０の液量が第１の量以上になるまで洗浄液が補給される。したがって、洗浄液の補給量は、第１の量と洗浄液の補給開始時点における第１貯留部２０の液量との差（数ｍＬ〜数十ｍＬ）に相当する。したがって、第１補給モードでは、第１貯留部２０の液量が第１の量（約９Ｌ）未満となった場合に、第１の量よりも少ない量の洗浄液が第１貯留部２０に補給される。
【００９４】
洗浄液調製装置４は、以上のような第１補給モードによる洗浄液の補給を繰り返し実行することで、第１貯留部２０における液量を第１の量（約９Ｌ）に維持することができる。
【００９５】
なお、第１貯留部２０の液量が第１の量未満となった場合、制御部４８はデータ処理部３に通知データを送ることなく、供給部４２７を開き、第２貯留部４６から第１貯留部２０へ洗浄液を補給してもよい。また、第１貯留部２０の液量が第１の量以上となった場合、制御部４８はデータ処理部３に通知データを送ることなく、供給部４２７を閉じ、第２貯留部４６から第１貯留部２０への洗浄液の補給を停止してもよい。
【００９６】
＜第２補給モード＞
上記のような第１補給モードを継続して実行していると、第１貯留部２０の液量が第１の量よりも大きく減ることがないため、古い洗浄液が残留しやすい。そこで、洗浄液調製装置４は以下のような第２補給モードを実行する。
【００９７】
洗浄液調製装置４は、予め設定された条件に合致したときに第２補給モードを実行する。以下、予め設定された条件を「第２補給モード開始条件」という。第２補給モード開始条件は、検体分析装置１が起動した後、データ処理部３と洗浄液調製装置４との通信が確立することとすることができる。また、第２補給モード開始条件は、データ処理部３における内部時計の日付が変わることとすることもできる。また、第２補給モード開始条件は、ユーザが予め設定した時刻を経過することとすることもできる。なお、上記以外の条件を第２補給モード開始条件とすることもできる。
【００９８】
本実施形態では、データ処理部３において、ユーザが第２補給モード開始条件を設定可能である。図８を参照する。データ処理部３には、第２補給モードの実行する条件を設定するための設定画面を表示することができる。図８に示すように、設定画面６００は、３つの選択部６０１，６０２，６０３を含む。選択部６０１，６０２，６０３はラジオボタンである。
【００９９】
選択部６０１は、第２補給モードを実行する条件を、検体分析装置１のウェイクアップ時に設定するために用いられる。ここで、検体分析装置１のウェイクアップ時とは、検体分析装置１が起動した後、データ処理部３と洗浄液調製装置４との通信が確立した時点である。
【０１００】
選択部６０２は、第２補給モードを実行する条件を、データ処理部３における内部時計の日付が変わることに設定するために用いられる。
【０１０１】
選択部６０３は、第２補給モードを実行する条件を、ユーザが予め設定した時刻を経過することに設定するために用いられる。設定画面６００は、指定部６０４を含む。指定部６０４は、ユーザが時刻を指定するために用いられる。指定部６０４に指定された時刻が、第２補給モードを実行する時刻となる。
【０１０２】
ユーザは、設定画面６００において、選択部６０１，６０２，６０３のうちの何れか１つを選択する。選択部６０３を選択した場合、ユーザは、指定部６０４に第２補給モードを実行する時刻を指定する。第２補給モードを実行する条件の設定が完了すると、ユーザはＯＫボタン６０５を選択し、設定画面６００を閉じる。これにより、ハードディスク３０４に設定情報が記憶される。
【０１０３】
なお、洗浄液調製装置４の制御部４８において、第２補給モード開始条件を設定可能としてもよい。この場合、第２補給モード開始条件は、洗浄液調製装置４が起動することとすることができる。また、第２補給モード開始条件は、制御部４８における内部時計の日付が変わることとすることもできる。また、第２補給モード開始条件は、ユーザが予め設定した時刻を経過することとすることもできる。なお、上記以外の条件を第２補給モード開始条件とすることもできる。
【０１０４】
次に、検体分析装置１の起動動作について説明する。データ処理部３は、自動ウェイクアップの設定が可能である。図示しない自動ウェイクアップの設定画面において、ユーザは自動ウェイクアップの実行時刻を設定する。自動ウェイクアップの実行時刻が設定されると、この時刻に自動的に検体分析装置１が起動される。また、自動ウェイクアップの設定をしていない場合には、手動で検体分析装置１が起動される。
【０１０５】
図９を参照する。検体分析装置１の起動動作では、ＣＰＵ３０１が、各種の設定値を初期値に設定する（ステップＳ３０１）。次に、ＣＰＵ３０１は、測定部２に、各部を初期位置に位置決めするなどの初期化動作を実行させ（ステップＳ３０２）、洗浄液調製装置４との通信確立処理を実行する（ステップＳ３０３）。通信確立処理では、洗浄液調製装置４との間で所定のデータを送受信する。洗浄液調製装置４との間で通信が確立すると、ＣＰＵ３０１は、処理を終了する。
【０１０６】
次に、検体分析装置１の日付処理について説明する。日付処理とは、検体分析装置１において、１日が始まる時刻を決定する処理である。データ処理部３は、内部時計を有しており、現在時刻を取得可能である。日付処理では、この内部時計による現実の時刻（データ処理部３のローカル時刻。一般的に日本においては日本標準時刻に設定されている。）における何時何分（例えば、午前２時３０分等）を、１日の始期とするかをユーザが設定することができる。以下、１日の始期に設定される時刻を、「日付変更時刻」という。
【０１０７】
検体分析装置１を１日に１回起動する施設が多い。このため、このような施設では、データ処理部３と洗浄液調製装置４との通信が確立したときに第２補給モードを実行することで、１日に１回第２補給モードを実行することができる。第２補給モードでは、上述した第１補給モードよりも多くの古い洗浄液を新しい洗浄液に入れ替える。したがって、１日に１回第２補給モードを実行することで、１日に１回多くの古い洗浄液を新しい洗浄液に入れ換えることができる。また、数日にわたって検体分析装置１を動作させ続ける施設では、日付変更時刻に達したときに第２補給モードを実行することで、１日に１回多くの古い洗浄液を新しい洗浄液に入れ換えることができる。また、ユーザが予め設定した時刻を経過したときに第２補給モードを実行可能とすることで、その他の運用にも対応することができる。
【０１０８】
図１０を参照し、第２補給モードについて具体的に説明する。
【０１０９】
ＣＰＵ３０１は、第２補給モード開始条件に合致したか否かを判定する（ステップＳ４０１）。第２補給モード開始条件が検体分析装置１のウェイクアップ時に設定されている場合、検体分析装置１が自動ウェイクアップによって起動した後、又は検体分析装置１が手動で起動された後、洗浄液調製装置４との間で通信が確立したときに、ＣＰＵ３０１は第２補給モード開始条件に合致したと判定する。また、第２補給モード開始条件がデータ処理部３における日付変更時に設定されている場合、ＣＰＵ３０１は、日付変更時刻が経過したときに、第２補給モード開始条件に合致したと判定する。また、第２補給モード開始条件がユーザが予め設定した時刻を経過することに設定されている場合、ＣＰＵ３０１は、ユーザが指定した時刻が経過したときに、第２補給モード開始条件に合致したと判定する。
【０１１０】
第２補給モード開始条件に合致していない場合（ステップＳ４０１においてＮＯ）、ＣＰＵ３０１は、ステップＳ４０１の処理を繰り返す。
【０１１１】
第２補給モード開始条件に合致した場合（ステップＳ４０１においてＹＥＳ）、ＣＰＵ３０１は、洗浄液の補給の停止を指示するための指示データを洗浄液調製装置４へ送信する（ステップＳ４０２）。
【０１１２】
制御部４８は、洗浄液調製装置４が洗浄液補給の停止の指示データを受信すると（ステップＳ４０３）、第２貯留部４６から第１貯留部２０への洗浄液の補給を停止する（ステップＳ４０４）。ここで、第２貯留部４６から第１貯留部２０へ洗浄液が補給されていない場合、洗浄液調製装置４は、そのまま第１貯留部への洗浄液の補給を停止し続ける。また、第２貯留部４６から第１貯留部２０へ洗浄液が補給されている場合、制御部４８は供給部４２７を閉じ、第１貯留部への洗浄液の補給を停止する。
【０１１３】
制御部４８は、第２検出部２２の出力信号に基づいて、第１貯留部２０の液量が第２の量未満であるか否かを判定する（ステップＳ４０５）。第１貯留部２０の液量が第２の量以上である場合、つまり、第２検出部２２から検出信号が出力されていない場合（ステップＳ４０５においてＮＯ）、制御部４８はステップＳ４０５の処理を繰り返す。
【０１１４】
これにより、測定部２において洗浄液が第２の量未満になるまで消費される。第２の量は３Ｌであり、多くの古い洗浄液が消費される。
【０１１５】
第１貯留部２０の液量が第２の量未満である場合、つまり、第２検出部２２から検出信号が出力された場合（ステップＳ４０５においてＹＥＳ）、制御部４８は洗浄液残量が第２の量未満になったことを通知するための通知データをデータ処理部３へ送信する（ステップＳ４０６）。
【０１１６】
ＣＰＵ３０１は、データ処理部３が洗浄液残量の通知データを受信すると（ステップＳ４０７）、洗浄液の補給の開始を指示する指示データを、洗浄液調製装置４へ送信する（ステップＳ４０８）。
【０１１７】
制御部４８は、洗浄液調製装置４が洗浄液の補給の開始の指示データを受信すると（ステップＳ４０９）、供給部４２７を開き、第２貯留部４６から第１貯留部２０への洗浄液の補給を開始する（ステップＳ４１０）。図７Ｃに示すように、第１貯留部２０の液量が第２の量未満となると、第１貯留部２０に洗浄液が補給される。第２貯留部４６から第１貯留部２０へ補給される洗浄液は新しいため、第１貯留部２０において、古い洗浄液から新しい洗浄液に入れ替わる。
【０１１８】
第１貯留部２０に貯留される洗浄液は洗浄液であるため、新しい洗浄液に古い洗浄液が一部混ざっていたとしても、古い洗浄液の量が少なければ、検体の測定に影響はほとんど現れない。このような洗浄液において、残留する古い洗浄液を可能な範囲で減らし、新しい洗浄液を追加することで、洗浄液の管理の手間を削減しつつ、検体測定の精度を維持することができる。
【０１１９】
また、第２の量をゼロとすることも可能である。この場合、古い洗浄液を全て新しい洗浄液に入れ換えることができる。
【０１２０】
次に制御部４８は、第１検出部２１の出力信号に基づいて、第１貯留部２０の液量が第１の量以上であるか否かを判定する（ステップＳ４１１）。第１貯留部２０の液量が第１の量未満である場合、つまり、第１検出部２１から検出信号が出力されている場合（ステップＳ４１１においてＮＯ）、制御部４８はステップＳ４１１の処理を繰り返す。これにより、第２貯留部４６から第１貯留部２０へ継続して洗浄液が補給される。
【０１２１】
第１貯留部２０の液量が第１の量以上となった場合、つまり、第１検出部２１から検出信号が出力されなくなった場合（ステップＳ４１１においてＹＥＳ）、制御部４８は洗浄液残量が第１の量以上になったことを通知するための通知データをデータ処理部３へ送信する（ステップＳ４１２）。
【０１２２】
ＣＰＵ３０１は、データ処理部３が洗浄液残量の通知データを受信すると（ステップＳ４１３）、洗浄液の補給の停止を指示する指示データを、洗浄液調製装置４へ送信し（ステップＳ４１４）、処理を終了する。
【０１２３】
制御部４８は、洗浄液調製装置４が洗浄液の補給の停止の指示データを受信すると（ステップＳ４１５）、供給部４２７を閉じ、第２貯留部４６から第１貯留部２０への洗浄液の補給を停止し（ステップＳ４１６）、処理を終了する。図７Ｂに示すように、第１貯留部２０の液量が第１の量以上となると、第１貯留部２０に洗浄液が補給されなくなる。第１の量以上まで新しい洗浄液を補給することで、多くの新しい洗浄液を貯留部に貯留することができる。なお、第１の量以上になるまで第１貯留部２０に洗浄液を補給しなくてもよい。例えば、第１の量と第２の量との中間の第３の量で第１貯留部２０への洗浄液の補給を停止してもよい。また、第１の量よりも大きい第４の量以上になるまで第１貯留部２０に洗浄液を補給し、第４の量以上となった場合に洗浄液の補給を停止してもよい。
【０１２４】
なお、第１貯留部２０の液量が第２の量未満となった場合、制御部４８はデータ処理部３に通知データを送ることなく、供給部４２７を開き、第２貯留部４６から第１貯留部２０へ洗浄液を補給してもよい。また、第１貯留部２０の液量が第１の量以上となった場合、制御部４８はデータ処理部３に通知データを送ることなく、供給部４２７を閉じ、第２貯留部４６から第１貯留部２０への洗浄液の補給を停止してもよい。
【０１２５】
第２補給モードでは、第１貯留部２０の液量が第２の量（約３Ｌ）未満となった場合に、第１貯留部２０への洗浄液の補給が開始される。つまり、第１貯留部２０への洗浄液の補給が開始される時点では、第１貯留部２０の液量は第１の量より約６Ｌ少ない。また、第１貯留部２０の液量が第１の量以上になるまで洗浄液が補給されるので、洗浄液の補給量は約６Ｌである。したがって、第２補給モードでは、第１貯留部２０の液量が第２の量（約３Ｌ）未満となった場合に、第１の量よりも多い量の洗浄液が第１貯留部２０に補給される。
【０１２６】
以上のような構成により、第１貯留部２０の洗浄液を廃棄することなく、第１貯留部２０の古い洗浄液を新しい洗浄液に入れ替えることができる。
【０１２７】
また、上記のような第２補給モードを、連続して２回以上実行してもよい。これにより、より一層古い洗浄液の量を減らすことができる。
【０１２８】
第２補給モードにおいて、第１貯留部２０の洗浄液の量は、第２の量よりも大きく減ることはない。第１貯留部２０に第２の量の洗浄液があれば、少なくとも測定中の検体の測定を完了することが可能である。また、検体を測定している間に、新たな洗浄液を補給することで、検体の測定を継続することが可能である。
【０１２９】
（実施の形態２）
本実施の形態では、データ処理部が洗浄液調製装置を制御し、第２貯留部から第１貯留部に洗浄液を供給する検体分析システムについて説明する。
【０１３０】
第１及び第２検出部２１，２２のそれぞれは、制御部４８ではなく、データ処理部３の入出力インターフェース３０６に接続されている。第１及び第２検出部２１，２２のそれぞれは、検出信号をデータ処理部３へ出力する。
【０１３１】
なお、本実施の形態に係る検体分析システムのその他の構成は、実施の形態１に係る検体分析システム１００の構成と同様であるので、同一構成要素については同一符号を付し、その説明を省略する。
【０１３２】
＜第１補給モード＞
図１１を参照し、第１補給モードについて説明する。
【０１３３】
第１補給モードでは、ＣＰＵ３０１が、第１検出部２１の出力信号に基づいて、第１貯留部２０の液量が第１の量未満であるか否かを判定する（ステップＳ２５１）。第１貯留部２０の液量が第１の量以上である場合、つまり、第１検出部２１から検出信号が出力されていない場合（ステップＳ２５１においてＮＯ）、ＣＰＵ３０１はステップＳ２５１の処理を繰り返す。
【０１３４】
第１貯留部２０の液量が第１の量未満である場合、つまり、第１検出部２１から検出信号が出力された場合（ステップＳ２５１においてＹＥＳ）、ＣＰＵ３０１は、第１貯留部２０への洗浄液の補給の開始を指示する指示データを洗浄液調製装置４へ送信する（ステップＳ２５２）。
【０１３５】
制御部４８は、洗浄液調製装置４が洗浄液の補給の開始の指示データを受信すると（ステップＳ２５３）、供給部４２７を開き、第２貯留部４６から第１貯留部２０への洗浄液の補給を開始する（ステップＳ２５４）。
【０１３６】
ＣＰＵ３０１は、第１検出部２１の出力信号に基づいて、第１貯留部２０の液量が第１の量以上であるか否かを判定する（ステップＳ２５５）。第１貯留部２０の液量が第１の量未満である場合、つまり、第１検出部２１から検出信号が出力されている場合（ステップＳ２５５においてＮＯ）、ＣＰＵ３０１はステップＳ２５５の処理を繰り返す。これにより、第２貯留部４６から第１貯留部２０へ継続して洗浄液が補給される。
【０１３７】
第１貯留部２０の液量が第１の量以上となった場合、つまり、第１検出部２１から検出信号が出力されなくなった場合（ステップＳ２５５においてＹＥＳ）、ＣＰＵ３０１は、洗浄液の補給の停止を指示するための指示データを洗浄液調製装置４へ送信し（ステップＳ２５６）、処理を終了する。
【０１３８】
制御部４８は、洗浄液調製装置４が洗浄液の補給の停止の指示データを受信すると（ステップＳ２５７）、供給部４２７を閉じ、第２貯留部４６から第１貯留部２０への洗浄液の補給を停止し（ステップＳ２５８）、処理を終了する。
【０１３９】
＜第２補給モード＞
図１２を参照し、第２補給モードについて説明する。
【０１４０】
ＣＰＵ３０１は、第２補給モード開始条件に合致したか否かを判定する（ステップＳ４５１）。ステップＳ４５１の処理は、実施の形態１におけるステップＳ４０１の処理と同様である。
【０１４１】
第２補給モード開始条件に合致していない場合（ステップＳ４５１においてＮＯ）、ＣＰＵ３０１は、ステップＳ４５１の処理を繰り返す。
【０１４２】
第２補給モード開始条件に合致した場合（ステップＳ４５１においてＹＥＳ）、ＣＰＵ３０１は、洗浄液の補給の停止を指示するための指示データを洗浄液調製装置４へ送信する（ステップＳ４５２）。
【０１４３】
制御部４８は、洗浄液調製装置４が洗浄液の補給の停止の指示データを受信すると（ステップＳ４５３）、第２貯留部４６から第１貯留部２０への洗浄液の補給を停止する（ステップＳ４５４）。
【０１４４】
ＣＰＵ３０１は、第２検出部２２の出力信号に基づいて、第１貯留部２０の液量が第２の量未満であるか否かを判定する（ステップＳ４５５）。第１貯留部２０の液量が第２の量以上である場合、つまり、第２検出部２２から検出信号が出力されていない場合（ステップＳ４５５においてＮＯ）、ＣＰＵ３０１はステップＳ４５５の処理を繰り返す。
【０１４５】
これにより、測定部２において洗浄液が第２の量未満になるまで消費される。第２の量は３Ｌであり、多くの古い洗浄液が消費される。
【０１４６】
第１貯留部２０の液量が第２の量未満である場合、つまり、第２検出部２２から検出信号が出力された場合（ステップＳ４５５においてＹＥＳ）、ＣＰＵ３０１は、洗浄液の補給の開始を指示する指示データを、洗浄液調製装置４へ送信する（ステップＳ４５６）。
【０１４７】
制御部４８は、洗浄液調製装置４が洗浄液の補給の開始の指示データを受信すると（ステップＳ４５７）、供給部４２７を開き、第２貯留部４６から第１貯留部２０への洗浄液の補給を開始する（ステップＳ４５８）。
【０１４８】
次にＣＰＵ３０１は、第１検出部２１の出力信号に基づいて、第１貯留部２０の液量が第１の量以上であるか否かを判定する（ステップＳ４５９）。第１貯留部２０の液量が第１の量未満である場合、つまり、第１検出部２１から検出信号が出力されている場合（ステップＳ４５９においてＮＯ）、ＣＰＵ３０１はステップＳ４５９の処理を繰り返す。これにより、第２貯留部４６から第１貯留部２０へ継続して洗浄液が補給される。
【０１４９】
第１貯留部２０の液量が第１の量以上となった場合、つまり、第１検出部２１から検出信号が出力されなくなった場合（ステップＳ４５９においてＹＥＳ）、ＣＰＵ３０１は、洗浄液の補給の停止を指示するための指示データを洗浄液調製装置４へ送信する（ステップＳ４６０）。
【０１５０】
制御部４８は、洗浄液調製装置４が洗浄液の補給の停止の指示データを受信すると（ステップＳ４６１）、供給部４２７を閉じ、第２貯留部４６から第１貯留部２０への洗浄液の補給を停止し（ステップＳ４６２）、処理を終了する。
【０１５１】
（実施の形態３）
本実施の形態では、測定部に接続された洗浄液容器から、測定部に設けられた貯留部に洗浄液を補充する検体分析装置について説明する。
【０１５２】
図１３を参照する。検体分析装置１は、測定部２とデータ処理部３とを備える。測定部２は、測定部２の洗浄に用いられる洗浄液を収容する洗浄液容器７００に接続されている。測定部２は第１貯留部２０を含み、第１貯留部２０と洗浄液容器７００とが流路７０１によって接続されている。流路７０１には、電磁バルブ７０２が設けられている。電磁バルブ７０２が開くと、洗浄液容器７００から洗浄液が送出され、流路７０１を通じて第１貯留部２０に洗浄液が補給される。電磁バルブ７０２が閉じると、第１貯留部２０への洗浄液の補給が停止される。
【０１５３】
測定部２の制御部２００は、電磁バルブ７０２を制御可能に接続されている。また、制御部２００は、第１及び第２検出部２１，２２のそれぞれに接続されている。第１及び第２検出部２１，２２のそれぞれは、検出信号を制御部２００へ出力する。
【０１５４】
なお、本実施の形態に係る検体分析装置１のその他の構成は、実施の形態１に係る検体分析装置１の構成と同様であるので、同一構成要素については同一符号を付し、その説明を省略する。
【０１５５】
＜第１補給モード＞
測定部２は、洗浄液の消費に伴い、次のような第１補給モードを実行する。
【０１５６】
図１４を参照し、第１補給モードについて説明する。
【０１５７】
第１補給モードでは、制御部２００が、第１検出部２１の出力信号に基づいて、第１貯留部２０の液量が第１の量未満であるか否かを判定する（ステップＳ２７１）。第１貯留部２０の液量が第１の量以上である場合、つまり、第１検出部２１から検出信号が出力されていない場合（ステップＳ２７１においてＮＯ）、制御部２００はステップＳ２７１の処理を繰り返す。
【０１５８】
第１貯留部２０の液量が第１の量未満である場合、つまり、第１検出部２１から検出信号が出力された場合（ステップＳ２７１においてＹＥＳ）、制御部２００は電磁バルブ７０２を開き、第１貯留部２０への洗浄液の補充を開始する（ステップＳ２７２）。
【０１５９】
制御部２００は、第１検出部２１の出力信号に基づいて、第１貯留部２０の液量が第１の量以上であるか否かを判定する（ステップＳ２７３）。第１貯留部２０の液量が第１の量未満である場合、つまり、第１検出部２１から検出信号が出力されている場合（ステップＳ２７３においてＮＯ）、制御部２００はステップＳ２７３の処理を繰り返す。これにより、第１貯留部２０に洗浄液が継続して補充される。
【０１６０】
第１貯留部２０の液量が第１の量以上となった場合、つまり、第１検出部２１から検出信号が出力されなくなった場合（ステップＳ２７３においてＹＥＳ）、制御部２００は電磁バルブ７０２を閉じ、第１貯留部２０への洗浄液の補充を停止し（ステップＳ２７４）、処理を終了する。
【０１６１】
測定部２は、以上のような第１補給モードにおける洗浄液の補充を繰り返し実行することで、第１貯留部２０における液量を第１の量（約９Ｌ）に維持することができる。
【０１６２】
＜第２補給モード＞
図１５を参照し、第２補給モードについて具体的に説明する。
【０１６３】
ＣＰＵ３０１は、第２補給モード開始条件に合致したか否かを判定する（ステップＳ４７１）。ステップＳ４７１の処理は、実施の形態１におけるステップＳ４０１の処理と同様である。
【０１６４】
第２補給モード開始条件に合致していない場合（ステップＳ４７１においてＮＯ）、ＣＰＵ３０１は、ステップＳ４７１の処理を繰り返す。
【０１６５】
第２補給モード開始条件に合致した場合（ステップＳ４７１においてＹＥＳ）、ＣＰＵ３０１は、洗浄液補充の停止を指示するための指示データを測定部２へ送信する（ステップＳ４７２）。
【０１６６】
制御部２００は、測定部２が洗浄液補充の停止の指示データを受信すると（ステップＳ４７３）、洗浄液容器７００から第１貯留部２０への洗浄液の補充を停止する（ステップＳ４７４）。ここで、洗浄液容器７００から第１貯留部２０へ洗浄液が補充されていない場合、測定部２は、そのまま第１貯留部２０への洗浄液補充を停止し続ける。また、洗浄液容器７００から第１貯留部２０へ洗浄液が補充されている場合、制御部２００は電磁バルブ７０２を閉じ、第１貯留部２０への洗浄液補充を停止する。
【０１６７】
制御部２００は、第２検出部２２の出力信号に基づいて、第１貯留部２０の液量が第２の量未満であるか否かを判定する（ステップＳ４７５）。第１貯留部２０の液量が第２の量以上である場合、つまり、第２検出部２２から検出信号が出力されていない場合（ステップＳ４７５においてＮＯ）、制御部２００はステップＳ４７５の処理を繰り返す。
【０１６８】
これにより、測定部２において洗浄液が第２の量未満になるまで消費される。第２の量は３Ｌであり、多くの古い洗浄液が消費される。
【０１６９】
第１貯留部２０の液量が第２の量未満である場合、つまり、第２検出部２２から検出信号が出力された場合（ステップＳ４７５においてＹＥＳ）、制御部２００は電磁バルブ７０２を開き、第１貯留部２０への洗浄液の補充を開始する（ステップＳ４７６）。
【０１７０】
次に制御部２００は、第１検出部２１の出力信号に基づいて、第１貯留部２０の液量が第１の量以上であるか否かを判定する（ステップＳ４７７）。第１貯留部２０の液量が第１の量未満である場合、つまり、第１検出部２１から検出信号が出力されている場合（ステップＳ４７７においてＮＯ）、制御部２００はステップＳ４７７の処理を繰り返す。これにより、洗浄液容器７００から第１貯留部２０へ継続して洗浄液が補充される。
【０１７１】
第１貯留部２０の液量が第１の量以上となった場合、つまり、第１検出部２１から検出信号が出力されなくなった場合（ステップＳ４７７においてＹＥＳ）、制御部２００は電磁バルブ７０２を閉じ、洗浄液容器７００から第１貯留部２０への洗浄液の補充を停止し（ステップＳ４７８）、処理を終了する。
【符号の説明】
【０１７２】
１００  検体分析システム
１  検体分析装置
２  測定部
２０  第１貯留部
２１  第１検出部
２２  第２検出部
２００  制御部
２１０  検体分注部
２１１  Ｒ１試薬分注部
２２０  反応部
２６０  検出部
２７０  試薬設置部
３  データ処理部
３０１  ＣＰＵ
３０２  ＲＯＭ
３０３  ＲＡＭ
３０４  ハードディスク
３０９  入力部
３１０  表示部
３２０  コンピュータプログラム
４  洗浄液調製装置
４１  高濃度洗浄液チャンバ
４２  ＲＯ水チャンバ
４３  第１希釈チャンバ
４４  第２希釈チャンバ
４６  第２貯留部
４８  制御部
４２７  供給部
５  高濃度洗浄液容器
７  ＲＯ水作製装置
７００  洗浄液容器
【図１】
2020173281.tif 000003
【図２】
2020173281.tif 000004
【図３】
2020173281.tif 000005
【図４】
2020173281.tif 000006
【図５】
2020173281.tif 000007
【図６】
2020173281.tif 000008
【図７Ａ】
2020173281.tif 000009
【図７Ｂ】
2020173281.tif 000010
【図７Ｃ】
2020173281.tif 000011
【図８】
2020173281.tif 000012
【図９】
2020173281.tif 000013
【図１０】
2020173281.tif 000014
【図１１】
2020173281.tif 000015
【図１２】
2020173281.tif 000016
【図１３】
2020173281.tif 000017
【図１４】
2020173281.tif 000018
【図１５】
2020173281.tif 000019